(57)【要約】【課題】制御基板に対する不正行為をより確実に防止可能な基板ケースユニットを提供する。【解決手段】基板ケースユニットは、ロック部材１５０とロックカバー部材１６０とが一体的に連結された状態で、ロック部材１５０の軸部１５２がトップ側ロック孔１３６及びボトム側ロック孔１２６に跨って挿入されてロックピン１５５が係止壁１２６ｃに係合するとともに、ロックカバー部材１６０のロックアーム１６７がボトム側ロック部１２３の係止溝１２４ａに係合することで、ボトム側ロック部１２３とトップ側ロック部１３３とがロックアッシー１４０を介して連結され、ロックカバー部材１６０はロック部材１５０の操作部１５３の少なくとも一部を覆って隠蔽するよう構成される。【選択図】図２１
2014180515.tif 000002
【特許請求の範囲】
【請求項１】
第１ケース部材及び前記第１ケース部材に対して開閉可能に装着される第２ケース部材を備え、前記第１ケース部材に前記第２ケース部材を装着した閉止状態で前記第１ケース部材及び前記第２ケース部材に囲まれて形成されるケース内部に制御基板を収容する基板ケースユニットであって、
前記第１ケース部材に設けられ、前記閉止状態において前記第２ケース部材と対向する側に開口する第１ロック孔が形成された第１ロック部と、
前記第２ケース部材に設けられ、前記閉止状態において前記第１ロック孔と整合位置して前記対向方向に貫通する第２ロック孔が形成された第２ロック部と、
互いに着脱可能に連結されるロック部材及びカバー部材を有して、前記第１ロック部と前記第２ロック部とを連結させるロック部材アッセンブリとを備え、
前記ロック部材は、前記第１ロック孔及び前記第２ロック孔に跨って挿入される軸部と、前記軸部の中心軸方向に連設されて前記第１ロック孔及び前記第２ロック孔に挿入不能な操作部と、前記軸部から外方へ進退可能に突出配置されたロック突起とを有してなり、
前記カバー部材は、前記第１ロック部又は前記第２ロック部に対して係合可能な係合部と、前記ロック部材の前記操作部が連結される着脱部とを有してなり、
前記閉止状態では、前記ロック部材と前記カバー部材とが一体的に連結された状態で、前記ロック部材の前記軸部が前記第１ロック孔及び前記第２ロック孔に跨って挿入されて前記ロック突起が前記第１ロック孔に係合するとともに、前記カバー部材の前記係合部が前記第１ロック部又は前記第２ロック部に係合することで、前記第１ロック部と前記第２ロック部とが前記ロック部材アッセンブリを介して連結され、
前記カバー部材は、前記閉止状態において前記ロック部材の前記操作部の少なくとも一部を覆って隠蔽することを特徴とする基板ケースユニット。
【請求項２】
前記第２ロック部は、外部から破断可能な接続部を介して前記第２ケース部材に一体的に設けられ、
前記カバー部材は、前記接続部を隠蔽する隠蔽部と、外部から破断可能に形成されて当該カバー部材から前記隠蔽部を分離させ得るカバー分離部とを有することを特徴とする請求項１に記載の基板ケースユニット。
【請求項３】
前記ロック部材は、前記カバー部材と連結された状態で前記軸部の中心軸線回りに回動操作が可能となるよう前記第１ロック部及び前記第２ロック部に係合され、
前記操作部には、前記ロック部材を回動操作するための操作凹部が形成されており、
前記カバー部材には、前記操作凹部を露出させるための操作孔が開設されていることを特徴とする請求項１又は２に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたボトムケースとその前方に開閉可能に装着されるトップケースとからなる基板ケース内に収容されている。また、基板ケースには、ボトムケースに対してトップケースを閉止状態で装着したときに、ボトムケース側に形成した係合部とトップケース側に形成した係合部とが係合連結することで基板ケースを閉止状態でロックし、トップケース（もしくはボトムケース）とその係合部との間を繋ぐ連結部をニッパ等の工具を用いて切り離さない限り基板ケースを開放不能にする不正開放防止構造が設けられている（例えば、特許文献１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１ケース部材（例えば、実施形態におけるボトムケース１２０）及び第１ケース部材に対して開閉可能に装着される第２ケース部材（例えば、実施形態におけるトップケース１３０）を備え、第１ケース部材に第２ケース部材を装着した閉止状態で第１ケース部材及び第２ケース部材に囲まれて形成されるケース内部に制御基板（例えば、実施形態における主制御基板４１）を収容する基板ケースユニットであって、第１ケース部材に設けられ、閉止状態において第２ケース部材と対向する側に開口する第１ロック孔（例えば、実施形態におけるボトム側ロック孔１２６）が形成された第１ロック部（例えば、実施形態におけるボトム側ロック部１２３）と、第２ケース部材に設けられ、閉止状態において第１ロック孔と位置整合して上記対向方向に貫通する第２ロック孔（例えば、実施形態におけるトップ側ロック孔１３６）が形成された第２ロック部（例えば、実施形態におけるトップ側ロック部１３３）と、互いに着脱可能に連結されるロック部材及びカバー部材（例えば、実施形態におけるロックカバー部材１６０）を有して第１ロック部と第２ロック部とを連結させるロック部材アッセンブリ（例えば、実施形態におけるロックアッシー１４０）とを備え、ロック部材は、第１ロック孔及び第２ロック孔に跨って挿入される軸部と、軸部の中心軸方向に連設されて第１ロック孔及び第２ロック孔に挿入不能な操作部と、軸部から外方へ進退可能に突出配置されたロック突起（例えば、実施形態におけるロックピン１５５）とを有してなり、カバー部材は、第１ロック部又は第２ロック部に対して係合可能な係合部と、ロック部材の操作部が連結される着脱部とを有してなり、閉止状態では、ロック部材とカバー部材とが一体的に連結された状態で、ロック部材の軸部が第１ロック孔及び第２ロック孔に跨って挿入されてロック突起が第１ロック孔に係合するとともに、カバー部材の係合部が第１ロック部又は第２ロック部に係合することで、第１ロック部と第２ロック部とがロック部材アッセンブリを介して連結され、カバー部材は、閉止状態においてロック部材の操作部の少なくとも一部を覆って隠蔽するよう構成される。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】主制御基板ケースユニットの分解斜視図である。
【図４】基板ケースのスライド装着方法を説明するための模式図である。
【図５】ボトムケースのボトム側ロック部の斜視図である。
【図６】トップケースのトップ側ロック部の斜視図である。
【図７】ボトム側ロック部とトップ側ロック部とを重ね合わせた状態を示す断面図である。
【図８】ロックアッシーの斜視図である。
【図９】ロック部材の斜視図である。
【図１０】ロック部材の断面図である。
【図１１】ロックカバー部材を表面側から見た斜視図である。
【図１２】ロックカバー部材を裏面側から見た斜視図である。
【図１３】ボトムケースに対してトップケースをスライド移動させている状態を示す斜視図である。
【図１４】ボトムケースに対してトップケースをスライド移動させている状態を示す平面図である。
【図１５】ボトムケースに対してトップケースをスライド装着した状態を示す斜視図である。
【図１６】ボトムケースに対してトップケースをスライド装着した状態を示す平面図である。
【図１７】ロック部材をロックカバー部材に装着する前の状態を示す斜視図である。
【図１８】ロック部材をロックカバー部材に装着した状態を示す斜視図である。
【図１９】ロックアッシーをボトム側ロック部及びトップ側ロック部に組み付ける前の状態を示す斜視図である。
【図２０】ロックアッシーをボトム側ロック部１２３及びトップ側ロック部１３３に組み付けた状態を示す斜視図である。
【図２１】ロックアッシーをボトム側ロック部１２３及びトップ側ロック部１３３に組み付けた状態を示す斜視断面図である。
【図２２】ロックアッシーをボトム側ロック部１２３及びトップ側ロック部１３３に組み付けた状態を示す側断面図である。
【図２３】カバー分離部を遮断する前の状態を示す斜視図である。
【図２４】カバー分離部を破断した後の状態を示す斜視図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００及び演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３及び図４を追加参照して説明する。ここで、図３は主制御基板ケースユニット１００の分解斜視図、図４は基板ケース１１０のスライド装着方法を説明するための模式図、である。なお、以降の説明においては、説明の便宜のため、上下及び左右前後の方向は、ぱちんこ遊技機ＰＭへの取付状態での方向として、図３の状態を基準にして定義しており、図３に示す矢印の方向をそれぞれ前後、左右、上下と称して説明する。
【００２０】
主制御基板ケースユニット１００は、ぱちんこ遊技機ＰＭにおける制御の中枢を担う前述の主制御基板４１と、主制御基板４１を内部に収容する略矩形容器状の基板ケース１１０と、を主体として構成されている。
【００２１】
主制御基板４１は、詳細図示を省略しているが、矩形形状のプリント配線板を基板として、ＣＰＵ、ＲＯＭ及びＲＡＭ等の電子デバイス４１１や抵抗、コンデンサ、コネクタ等の電子・電気部品が実装されて構成されている。この主制御基板４１は、基板ケース１１０（後述するトップケース１３０）の内面側にビス止め固定される。
【００２２】
基板ケース１１０は、遊技盤１０の背面に着脱されるボトムケース１２０と、このボトムケース１２０に着脱自在に取り付けられるトップケース１３０とを備えて構成されており、ボトムケース１２０にトップケース１３０を装着した閉止状態で前後整合するケース左端部及び右端部に、封印構造及び不正開放防止構造（共に詳細後述）が設けられている。ボトムケース１２０及びトップケース１３０は、互いの開口同士を相対向させた閉止状態で組み合わされて一体化される。ボトムケース１２０及びトップケース１３０は、共に無色透明な樹脂材料（例えば、ポリカーボネート等）を用いて射出成形等の成形手段により形成され、外部からでも基板ケース１１０内を視認可能に構成されている。
【００２３】
ボトムケース１２０は、底壁１２１ａ及びこの底壁１２１ａの周縁から立設される上下左右の側壁１２１ｂを有して全体として後面開放の矩形箱状に形成されたボトムケース本体１２１と、ボトムケース本体１２１の左端部に一体的に形成されたボトム側封印部１２２と、ボトムケース本体１２１の右端部に一体的に形成されたボトム側ロック部１２３とを有して構成される。ボトムケース本体１２１の上下の側壁１２１ｂには、底壁１２１ａからそれぞれ後方に向けて突出するボトム側スライド係合部１２１ｃが左右方向に並んで複数形成されている。
【００２４】
トップケース１３０は、底壁１３１ａ及びこの底壁１３１ａの周縁から立設される上下左右の側壁１３１ｂを有して全体として前面開放の矩形箱状に形成されたトップケース本体１３１と、このトップケース本体１３１の左端部に一体的に形成されたトップ側封印部１３２と、トップケース本体１３１の右端部に連結部１３３ａを介して一体的に繋がるトップ側ロック部１３３とを有して、ボトムケース１２０に対して左右方向（「スライド方向」とも称する）にスライド装着可能に構成されている。トップケース本体１３１の上下の側壁１３１ｂには、この側壁１３１ｂが延びる長手方向（左右方向）に沿って前面側に開口してボトムケース１２０のボトム側スライド係合部１２１ｃを受容可能な凹溝状のトップ側溝部１３１ｃが形成されるとともに、このトップ側溝部１３１ｃ内においてボトムケース１２０のボトム側スライド係合部１２１ｃと係合可能なトップ側スライド係合部１３１ｄが形成されている。トップケース１３０には、主制御基板４１のコネクタ（図示省略）の実装位置に対応して表裏貫通するコネクタ挿抜口１３１ｅが形成されており、主制御基板４１がトップケース１３０に取り付けられた状態で、主制御基板４１のコネクタがコネクタ挿抜口１３１ｅを通して外部に露出し、演出制御基板４２や払出制御基板４３等とハーネス（コネクタケーブル）を介して電気接続可能となる。
【００２５】
ボトムケース１２０にトップケース１３０を組み付けるには、図４に示すように、ボトムケース１２０に対してトップケース１３０を左方に若干ずらした状態で前後方向に対向させて、トップケース１３０のトップ側溝部１３１ｃにボトムケース１２０のボトム側スライド係合部１２１ｃを挿入し、トップケース１３０を右方向（以下において「閉止方向」とも称する）にスライド移動させることにより、ボトム側スライド係合部１２１ｃとトップ側スライド係合部１３１ｄとを係合させる。これにより、ボトムケース１２０とトップケース１３０とが互いの開口同士を相対向させた閉止状態で一体化される。そして、こうしてボトムケース１２０にトップケース１３０が組付けられた閉止状態において、前後に位置整合するボトム側封印部１２２とトップ側封印部１３２とを有して封印構造が構成されるとともに、同じく前後に位置整合するボトム側ロック部１２３とトップ側ロック部１３３とを有して不正開放防止構造が構成されている。
【００２６】
＜封印構造＞
封印構造は、従来から知られている構成であり、種々の構成が適宜採用されているが、本実施形態では、図３に示されているように、ボトムケース本体１２１の左端部に一体的に繋がって形成されたボトム側封印部１２２と、トップケース本体１３１の左端部に一体的に繋がって形成されたトップ側封印部１３２と、ボトム側封印部１２２に貼着されて基板ケース１１０を封印する封印シール１７０と、基板ケース１１０の開放時に封印シール１７０を破壊するカッター部材１７１と、から構成される。
【００２７】
封印シール１７０は、例えば紙製のシート部材の表面に、ＩＣチップ及びこれに繋がるアンテナ線が透明な樹脂フィルムによって覆われて形成されており、ＩＣチップに格納された種々の情報（例えば、ぱちんこ遊技機ＰＭに関する情報、主制御基板４１の識別情報など）がアンテナ線を介して基板ケース１１０の外部からでもリーダ装置によって読み取り可能となっている。封印シール１７０は、ボトム側封印部１２３にコ字状に折曲された状態で貼着される。
【００２８】
カッター部材１７１は、ボトム側封印部１２２に貼着された封印シール１７０を覆うように装着される。このカッター部材１７１は、基板ケース１１０の閉止状態においてはボトム側封印部１２２に装着されて封印シール１７０を外方から包囲して保護する一方、基板ケース１１０の開放時、すなわち、トップケース１３０をボトムケース１２０に対して左方向（以下において「開放方向」とも称する）にスライド移動させるとき、トップ側封印部１３３と協働して当該開放方向に移動することで、ボトム側封印部１２３に貼着された封印シール１７０を再生不能な程度に破壊するように構成されている。
【００２９】
＜不正開放防止構造＞
続いて、不正開放防止構造について図５〜図１２を追加参照しながら説明する。ここで、図５はボトム側ロック部１２３の斜視図、図６はトップ側ロック部１３３の斜視図、図７はボトム側ロック部１２３とトップ側ロック部１３３とを重ね合わせた状態を示す断面図、図８はロックアッシー１４０の斜視図、図９はロック部材１５０の斜視図、図１０はロック部材１５０の断面図、図１１はロックカバー部材１６０を表面側から見た斜視図、図１２はロックカバー部材１６０を裏面側から見た斜視図、である。なお、図５〜図１２においては、説明の理解を容易にするために、主制御基板ケースユニット１００から要部のみを切り離した状態でこれらのみを取り出して図示している。
【００３０】
不正開放防止構造は、ボトムケース本体１２１の右端部に設けられたボトム側ロック部１２３と、トップケース本体１３１の右端部に断面半円筒状の連結部１３３ａを介して設けられたトップ側ロック部１３３と、ボトム側ロック部１２３とトップ側ロック部１３３とを連結するためのロックアッシー１４０と、を有して構成される。
【００３１】
ボトム側ロック部１２３は、図５に示すように、トップ側ロック部１３３と対向する側に開口するボトム側ロック孔１２６が形成されたボトム側収容部１２４と、ボトム側収容部１２４を取り囲んで略コ字枠状に形成された周壁１２８と、ボトム側収容部１２４と周壁１２８との下端部同士を繋ぐ一対の接続壁１２９（図７を参照）と、を有して構成される。ボトム側ロック部１２３には、周壁１２８に取り囲まれてトップ側ロック部１３３及びロックアッシー１４０を受容するための受容空間Ｓが画定されている。
【００３２】
ボトム側収容部１２４は、例えばアルミ合金等の金属材料を用いて略円筒状に形成された被収容部材１２５がインサート成形により埋設されて構成されている。この被収容部材１２５は、図７に示すように、軸方向の両端に開口を有する円筒体１２５ａと、この円筒体１２５ａの一方の開口を閉鎖して加締め固着される円盤体１２５ｂとからなる。このボトム側収容部１２４には、後述するロック部材１５０の軸部１５２（図９等を参照）が挿入されるボトム側ロック孔１２６が形成されている。ボトム側ロック孔１２６は、ロック部材１５０の軸部１５２を挿通可能な孔径に形成された小孔径部１２６ａと、小孔径部１２６ａよりも大きな孔径に形成された大孔径部１２６ｂとを有する段付き孔として構成されており、小径孔部１２６ａと大径孔部１２６ｂとの段差部には後述するロック部材１５０のロックピン１５５（図９等を参照）が係止される係止面１２６ｃが形成されている。また、ボトム側収容部１２４と周壁１２８との間には、前後方向に延びて受容空間Ｓと一体的に繋がる凹部１２７が形成されており、ボトム側収容部１２４の側面部にはこの凹部１２７に臨んで係止溝１２４ａ（図７を参照）が形成されている。
【００３３】
周壁１２８は、ボトム側収容部１２４を挟んでスライド方向と直交する方向（上下方向）に対向する一対の側平板部１２８ａと、これら側平板部１２８ａの右端部同士を繋ぐ中央平板部１２８ｂとからなる。中央平板部１２８ｂには、その中心に嵌合孔１２８ｄが表裏に貫通された矩形環状の膨出部１２８ｃと、該平板部１２８ｂの端部から膨出部１２８ｃと略同一の幅で切欠き形成された矩形溝１２８ｅとが設けられている。基板ケース１１０の閉止状態では、周壁１２８の頂部とトップケース本体１３１の頂部とは略面一となる（図１５等を参照）。
【００３４】
トップ側ロック部１３３は、図６に示すように、前後に貫通するトップ側ロック孔１３６を有して略矩形ブロック状に形成されたトップ側収容部１３４を主体として構成され、基板ケース１１０の閉止状態においてトップ側ロック孔１３６とボトム側ロック孔１２６とが前後に位置整合して相互に連通するようになっている。トップ側ロック孔１３６は、ボトム側ロック孔１２６の小径孔部１２６ａと略同一の孔径で貫通形成されている。トップ側ロック孔１３６の周縁部における連結部１３３ａ側には、このトップ側ロック孔１３６と連なって、ロックピン１５０のピン径よりも大きな溝幅で、その溝底面がロック部材１５０の挿入方向に対して半径方向内方に向かって傾斜（勾配）するピン案内溝１３６ａが形成されている。また、トップ側収容部１３４の先端部には、ボトム側ロック部１２３の嵌合孔１２８ｄとスライド方向に嵌合可能な凸状の嵌合突起１３４ａが形成されている。
【００３５】
ロックアッシー１４０は、図８に示すように、ボトム側ロック孔１２６及びトップ側ロック孔１３６に跨って挿入される略円筒状のロック部材１５０と、ボトム側ロック部１２３の受容空間Ｓを閉止する略矩形蓋状のロックカバー部材１６０とを有してなり、ロック部材１５０とロックカバー部材１６０とが互いに着脱可能に連結されて構成される。
【００３６】
ロック部材１５０は、図９及び図１０に示すように、軸部１５２及び操作部１５３からなる段付円筒状のロック本体１５１と、軸部１５２の中心軸Ｘと直交する方向に進退自在に支持されるロックピン１５５と、ロックピン１５５を軸部１５２外方へ付勢するコイルバネ１５６と、を有して構成される。
【００３７】
ロック本体１５１は、前後に延びる円筒状の軸部１５２と、この軸部１５２よりも大径の円盤状に形成された操作部１５３とからなり、例えばアルミ合金等の金属材料を用いて一体形成されている。軸部１５２には、ロックピン１５５を中心軸Ｙ方向（中心軸Ｘと直交する方向）にスライド変位自在に収容支持するためのピン収容孔１５４が凹設されている。また、操作部１５３には、その表面から円筒状に窪んだ操作凹溝１５３ａが形成されている。
【００３８】
ロックピン１５５は、細長い軸状の軸ピン１５５ａと、この軸ピン１５５ａの中間部に軸ピン１５５ａよりも大径に形成された短円筒状の座部１５５ｂとからなり、ステンレスや真鋳等の金属材料を用いて一体形成される。これに対して、ロックピン１５５を収容するピン収容孔１５４は、ロックピン１５５の座部１５５ｂよりも幾分大きな孔径でロックピン１５５の中心軸Ｘ方向に穿設された有底円筒状の座部収容孔１５４ａと、軸ピン１５５ａよりも幾分大きな孔径で座部収容孔１５４ａの底部を貫通して同軸的に形成されたピン支持孔１５４ｂとからなる。なお、以降では、ロックピン１５５について、図１０に示す配設姿勢における上端側を先端側、下端側を基端側と称して説明する。
【００３９】
ロックピン１５５は、座部収容孔１５４ａの入口側の壁面を加締めて縮径させることで、ピン収容孔内１５４に抜け止め状態で挿着されている。ロックピン１５５は、ピン収容孔１５４内に中心軸Ｙ方向に圧縮した状態で介装されたコイルバネ１５６の弾性力により、常にはその先端部が軸部１５２の外方へ突出するように付勢配設される。なお、コイルバネ１５６に代えて、板バネや皿バネなどの付勢手段を用いてもよい。
【００４０】
ロックカバー部材１６０は、図１１及び図１２に示すように、例えば合成樹脂材料を用いて図示する形状に形成されており、矩形の平板をクランク状に屈曲した形状を有するカバー本体１６１と、このカバー本体１６１の底部に形成された着脱部１６６と、カバー本体１６１の底部から所定間隔を有して配設されて片持ち状に突出する一対のロックアーム１６７と、を有して構成される。
【００４１】
カバー本体１６１は、ボトム側ロック部１２３の受容空間Ｓの開口形状に合致する横長矩形状に形成された第１カバー本体部１６２と、第１カバー本体部１６２の端部からＬ字状に折曲された第２カバー本体部１６３と、を有してなる。第１カバー本体部１６２には、Ｌ字状に突出形成されてボトム側ロック部１２３の矩形溝１２８ｄに嵌合する突条１６２ａと、円孔状に貫通形成されてロック部材１５０の操作凹溝１５３ａを露出させる確認孔１６２ｂとが形成されている。
【００４２】
また、カバー本体１６１には、全体として略コの字形を呈するカバー分離部１６４が形成されている。ここで、カバー本体１６１におけるカバー分離部１６４より内側の部分を便宜的に「遮蔽部１６５」と称する。このカバー分離部１６４は、カバー本体１６１の他の部分の肉厚よりも薄肉に凹設された複数の脆弱部１６４ａが間欠的に配置されてなり、外部からニッパ等の工具を用いて複数の脆弱部１６４ａの配置に沿って破断可能に形成されている。従って、カバー分離部１６４が破断されると、ロックカバー部材１６０から遮蔽部１６５が別体として分離される。
【００４３】
着脱部１６６は、ロック部材１５０の操作部１５３の直径よりも僅かに大きな対向間隔をもってカバー本体１６１の底部から延出する一対の脚部１６６ａと、ロック部材１５０の軸部１５２の直径よりも僅かに大きな対向間隔をもって形成され一対の脚部１６６ａの各々から対向方向内側へ向けて折曲された一対の係止部１６６ｂとからなり、これら一対の脚部１６６ａ及び係止部１６６ｂの間にロック部材１５０の操作部１５３を回動自在に係合させることが可能である。
【００４４】
また、カバー本体１６１の突条１６２ａの裏面には、ロック部材１５０の操作部１５３の外周面に当接可能な位置決め突起１６２ｃが形成されており、ロック部材１５０を着脱部１６６に係合させて操作部１５３を位置決め突起１６３ｃに突き当てた状態で、ロック部材１５０の操作凹溝１５３ａとロックカバー部材１６０の確認孔１６２ｂとがほぼ同軸的に配置され、この確認孔１６２ｂの開口を通じてロック部材１５０の操作凹溝１５２ａにアクセス可能となる。
【００４５】
ロックアーム１６７は、その板厚方向に弾性変形が可能であり、その先端部（自由端側）には抜け止めとして作用する略鉤状の係止爪部１６７ａが突設されている。
【００４６】
かかる構成のロックアッシー１４０は、ロック部材１５０がボトム側ロック孔１２６及びトップ側ロック孔１３６に跨って係合可能であるとともに、ロックカバー部材１６０がボトム側ロック部１２３の係止溝１２４ａと係合可能であり、ロック部材１５０とロックカバー部材１６０とが一体的に連結したアッセンブリ状態でボトム側ロック部１２３の受容空間Ｓ内に組み付けられて基板ケース１１０を開放不能に作用する。
【００４７】
次に、このように構成される主制御基板ケースユニット１００における不正開放防止構造の作用を説明する。ここで、図１３はボトムケース１２０に対してトップケース１３０をスライド移動させている状態を示す斜視図、図１４はボトムケース１２０に対してトップケース１３０をスライド移動させている状態を示す平面図、図１５はボトムケース１２０に対してトップケース１３０をスライド装着した状態を示す斜視図、図１６はボトムケース１２０に対してトップケース１３０をスライド装着した状態を示す平面図、図１７はロック部材１５０をロックカバー部材１６０に装着する前の状態を示す斜視図、図１８はロック部材１５０をロックカバー部材１６０に装着した状態を示す斜視図、図１９はロックアッシー１４０を両ロック部１２３，１３３に組み付ける前の状態を示す斜視図、図２０はロックアッシー１４０を両ロック部１２３，１３３に組み付けた状態を示す斜視図、図２１はロックアッシー１４０を両ロック部１２３，１３３に組み付けた状態を示す斜視断面図、図２２はロックアッシー１４０を両ロック部１２３，１３３に組み付けた状態を示す側断面図、図２３はカバー分離部１６４を遮断する前の状態を示す斜視図、図２４はカバー分離部１６４を破断した後の状態を示す斜視図、である。なお、図１３〜図２４においては、説明の理解を容易にするために、主制御基板ケースユニット１００から要部のみを切り離した状態でこれらのみを取り出して図示している。
【００４８】
まず、基板ケース１１０を組み立てるには、まず始めに、図１３及び図１４に示すように、トップケース１３０をボトムケース１２０に対して左方向に若干ずらした位置で重ね合わせる。これにより、トップケース１３０のトップ側溝部１３１ｄにボトムケース１２０のボトム側スライド係合部１２１ｃが挿入される（図４を参照）。このとき、不正開放防止構造では、ボトム側ロック部１２３とトップ側ロック部１３３とが左右方向に若干ずれた状態で配置される。
【００４９】
続いて、図１５及び図１６に示すように、トップケース１３０をボトムケース１２０に対して閉止方向に相対移動させて、トップケース１３０をボトムケース１２０にスライド装着する。これにより、ボトムケース１２０のボトム側スライド係合部１２１ｃとトップケース１３０のトップ側スライド係合部１３１ｃとが係合され、ボトムケース１２０とトップケース１３０とが互いの開口同士を相対向させた閉止状態となる（図４を参照）。このとき、不正開放防止構造では、トップ側ロック部１３３の嵌合突起１３４ａがボトム側ロック部１２３の嵌合孔１２８ｄに嵌合して、ボトム側ロック部１２３とトップ側ロック部１３３とが前後に対向して重ね合されることで、ボトム側ロック孔１２６とトップ側ロック孔１３６とが同軸的に位置整合して互いの内空間同士が連続する（図７を参照）。
【００５０】
続いて、図１７及び図１８に示すように、ロック部材１５０の操作部１５３をロックカバー部材１６０の着脱部１６６に係合させて、ロックアッシー１４０を組み立てる。このアッセンブリ状態において、ロック部材１５０はロックカバー部材１６０に対して相対変位（中心軸Ｘ回りに相対回動）が可能であり、あらかじめロック部材１５０のロックピン１５５を左方向（トップ側ロック孔１３６のガイド溝１３６ａと整合する方向）に指向させておく。また、ロック部材１５０がロックカバー部材１６０に装着されると、ロックカバー部材１６０の確認孔１６２ｂを通じてロック部材１５０の操作凹溝１５３ａが露出して外部からアクセスが可能なため、この操作凹溝１５３ａに手指を引掛けることでロック部材１５０を中心軸Ｘ回りに回動操作することが可能である。なお、ロック部材１５０の操作部１５３の表面とロックカバー部材１６０の底面とは僅かなクリアランスで対峙して配置されるため、確認孔１６２ｂから不正具を侵入させることは困難である。
【００５１】
続いて、図１９及び図２０に示すように、ロックアッシー１４０をボトム側ロック部１２３の受容空間Ｓ内に挿入し、ロックアッシー１４０をボトム側ロック部１２３及びトップ側ロック部１３３に組み付ける。
【００５２】
図２１及び図２２等を用いて、この過程を詳細に説明すると、まず、ロック部材１５０については、ロックアッシー１４０を受容空間Ｓ内に挿入すると、ロック部材１５０の軸部１５２がトップ側ロック孔１３６に挿入される。これにより、外方へ突出状態のロックピン１５５の先端部がガイド溝１３６ａの溝底面（傾斜面）に摺接し、ロックピン１５５がこの傾斜面の作用を受けることでコイルバネ１５６の弾性力に抗してピン収容孔１５４内に押し込まれていく。そして、ロック部材１５０の軸部１５２がボトム側ロック孔１２６へ進入して、ロックピン１５５がトップ側ロック孔１３６の終端部（トップ側ロック孔１３６とボトム側ロック孔１２６との境界部）まで到達したとき、ロックピン１５５の先端部が軸部１５２の外周面と略面一となる位置まで後退する。
【００５３】
続いて、ロック部材１５０の軸部１５２をトップ側ロック孔１３６及びボトム側ロック孔１２６に跨って更に挿入していくと、ロックピン１５５がボトム側ロック孔１２６における大径孔部１２６ｂまで達したところで小径孔部１２６ａの内壁面との当接による拘束が解除されて、ロックピン１５５がコイルバネ１５６の弾性力によって軸部１５２の外方へ突出してボトム側ロック孔１２６の係止壁１２６ｃと係合することとなる。
【００５４】
一方、ロックカバー部材１６０については、ロックアッシー１４０を受容空間Ｓ内に挿入すると、ロックカバー部材１６０のロックアーム１６７がボトム側ロック部１２３の凹部１２７に挿入される。ロックアーム１６７が凹部１２７に挿入されると、ロックアーム１６７の係止爪１６７ａがボトム側収容部１２４の壁面に当接して該壁面から離反する方向に押圧されることで、ロックアーム１６７は同方向に弾性変形して撓んだ状態となり、係止爪１６７ａが該壁面に対して摺接する。ロックアーム１６７が凹部１２７内に更に押し込まれて係止爪１６７ａがボトム側収容部１２４の係止溝１２４ａまで到達すると、係止爪１６７ａは自身の復元弾性によって元の自由姿勢に復帰して係止溝１２４ａと係合することとなる。
【００５５】
このようにロック部材１５０のロックピン１５５がボトム側ロック部１２２の係止壁１２６ｃと係合するとともに、ロックカバー部材１６０のロックアーム１６７がボトム側ロック部１２３の係止溝１２４ａと係合することで、ボトム側ロック部１２３とトップ側ロック部１３３とがロックアッシー１４０を介して係合連結されたロック状態に保持される。このロック状態では、ロック部材１５０の軸部１５２がボトム側ロック孔１２６とトップ側ロック孔１３６とに跨って挿入されているため、トップケース１３０をボトムケース１２０に対して開放方向へスライド移動させることができず、基板ケース１１０は強化な閉止状態に保持される。
【００５６】
また、基板ケース１１０の閉止状態では、ボトム側ロック部１２３の受容空間Ｓはロックカバー部材１６０によって覆われているため、受容空間Ｓ内に配置されているロック部材１５０やトップ側ロック部１３３に対して不正にアクセスするのが非常に困難となる。また、トップ側ロック部１３３とトップケース本体１３１との間を繋ぐ連結部１３３ａがロックカバー部材１６０の遮蔽部１６５によって隠蔽されているため、カバー分離部１６４を破断してロックカバー部材１６０から遮蔽部１６５を切り離さない限りはトップケース１３０の連結部１３３ａにアクセスすることができない。
【００５７】
また、ボトム側ロック部１２３の側方からドリル等の機械的手段により小孔をあけて、この小孔から不正具を侵入させてロックピン１５５を押し込むことにより（ロックピン１５５と係止壁１２６ｃとの係合を解除させることで）ロック部材１５０を引き抜こうとしても、これと同時に、このロック部材１５０に一体的に連結されたロックカバー部材１６０のロックアーム１６７とボトム側ロック部１２３の係止溝１２４ａとの係合状態を解除しなければ、ロック部材１５０の移動は拘束されて定位置（ロック状態）に保持されることとなる。
【００５８】
ここで、ロック部材１５０はロックカバー部材１６０に対して相対変位可能（中心軸Ｘ回りに相対回動可能）に連結されているため、ロック部材１５０が両ロック孔１２６，１３６に挿入されて係止壁１２６ｃと係合しているロック状態でも、前述の通り抜去方向への移動は規制されるものの、当該ロック状態を維持しつつ中心軸Ｘ回りの回動操作は許容される。このとき、不正行為者によってロック部材１５０が強引に引き抜かれて基板ケース１１０が開放された場合には、ロック部材１５０のロックピン１５５が破損している可能性が高く、これによりロック部材１５０をボトム側ロック孔１２６に再度係合させることはできない筈であるが、この不正行為を発見し難くする目的で、該ロック部材１５０を接着剤等を用いて両ロック部１２３，１３３に接着固定することで、偽のロック状態をつくりあげるような不正行為が問題となっている。このような不正行為に対して、本実施形態の不正開放防止構造では、ロックカバー部材１６０の確認孔１６２ｂを通じてロック部材１５０の操作凹溝１５３ａに手指を引掛けて回動操作を試みることができるため、このロック部材１５０の回動確認を行うことにより、ロック部材１５０が適正に係合しているのか、それともロック部材１５０が接着剤等により不正に固定されているのかを容易に確認することができる。
【００５９】
次に、このように閉止状態にロック保持された基板ケース１１０を開放するためには、図２３及び図２４に示すように、ロックカバー部材１６０のカバー分離部１６４をニッパ等の工具を用いて複数の脆弱部１６４ａの配置に沿って破断する。これにより、ロックカバー部材１６０から遮蔽部１６４が切り離されて互いに別体となり、この遮蔽部１６４が取り除かれた部分に略矩形の開口が画定される。そして、この開口を通じてボトム側ロック部１２３の受容空間Ｓの一部が開放されてトップケース１３０の連結部１３３ａが露出されることとなる。
【００６０】
そして、トップ側ロック部１２３とトップケース本体１３０との間を繋ぐ連結部１３３ａをニッパ等の工具を用いて切断し、ロック部材１５０を介してボトム側ロック部１２３と係合連結された状態のトップ側ロック部１３３をトップケース本体１３１から切り離す。これにより、ボトムケース１２０とトップケース１３０との連結は絶たれ、基板ケース１１０が開放可能な状態となる。
【００６１】
この状態から、トップケース１３０をボトムケース１２０に対して開放方向にスライド移動させて、ボトム側スライド係合部１２１ｃとトップ側スライド係合部１３１ｄとの係合を解除したところで、トップケース１３０をボトムケース１２０に対して後方に離間させれば、ボトムケース１２０からトップケース１３０が取り外され、その結果として基板ケース１１０が開放される。
【００６２】
以上、本実施形態に係る主制御基板ケースユニット１００によれば、ロック部材１５０とロックカバー部材１６０とが一体的に連結されたアッセンブリ状態で、ロックアッシー１４０がボトム側ロック部１２３及びトップ側ロック部１３３に係合することで、ロック部材１５０の係合状態（ロックピン１５５と係止壁１２６ｃの係合状態）と、ロックカバー部材１６０の係合状態（ロックアーム１６７と係止溝１２４ａの係合状態）と、を同時且つ個別に解除しない限りは、ロックアッシー１４０の引き抜きが実質的に出来なくなるため、基板ケース１１０の不正な開放を効果的に抑止して、主制御基板４１に対する不正な改造行為を受け難くすることが可能である。
【００６３】
また、基板ケース１１０の閉止状態では、互いに連結状態のボトム側ロック部１２３及びトップ側ロック部１３３から突出配置されるロック部材１５０の操作部１５３がロックカバー部材１６０によって覆われて所定の領域（確認孔１６２ｂに対応する領域）を除いて隠蔽されるため、ロック部材１５０に対する不正なアクセスを効果的に防止することができる。
【００６４】
また、基板ケース１１０の閉止状態では、トップ側ロック部１２３とトップケース本体１３１との間を繋ぐ連結部１３３ａがロックカバー部材１６０の遮蔽部１６５によって隠蔽されており、カバー分離部１６４を破断してロックカバー部材１６０から遮蔽部１６４を切り離さない限りは連結部１３３ａを破壊することができない構造となるため、基板ケース１１０が開放された場合にはその痕跡を明瞭に残存させて該不正行為を早期に発見することができるとともに、基板ケース１１０の構成部品を破壊痕のない状態で使い回し出来なくなるので所謂二個一（ニコイチ）と称される不正行為を防止することが可能である。
【００６５】
また、ロック部材１５０のロックピン１５５等を破壊して基板ケース１１０を不正に開放した後に、基板ケース１１０が開放されたことを分かり難くするために、該ロック部材１５０を接着剤等により両ロック部１２３，１３３に接着固定して偽のロック状態をつくりあげるような不正行為があった場合でも、ロックカバー部材１６０に開口された確認孔１６２ｂを通じて外部からロック部材１５０の回動操作を行うことができるため、ロック部材１５０がボトム側ロック部１２３及びトップ側ロック部１３３に対して適正に係合しているか否かを確認することにより、基板ケース１１０が不正に開放されたことを容易に発見することが可能である。
【００６６】
なお、本発明は、上記実施形態に限定されるものではなく、本発明の要旨を逸脱しない範囲であれば適宜改良可能である。
【００６７】
また、上述の実施形態では、説明の理解を容易にするために、ロックカバー部材１６０のカバー分離部１６４を完全に破断した場合を例示して説明したが、トップケース１３０の連結部１３３ａを露出させて該連結部１３３ａを切断できるものであれば、カバー分離部１６４の少なくとも一部を破断するものであってもよい。
【００６８】
また、上述の実施形態では、カバー分離部１６４を他の部分の肉厚よりも薄肉に凹設した脆弱部１６４ａとして形成した場合を例示したが、この構成に限定されるものではなく、例えば、ミシン目状に複数のスリットを配置して、ニッパ等の工具を用いて容易に破断可能に構成してもよい。
【００６９】
また、上述の実施形態では、ロックカバー部材１６０のロックアーム１６７はボトム側ロック部１２３の係止溝１２４ａと係合する構成であったが、この構成に限定されるものではなく、ロックカバー部材１６０のロックアーム１６７がトップ側ロック部１３３に形成された係止溝と係合する構成であってもよい。
【００７０】
また、上述の実施形態では、ロック部材１５０をロックカバー部材１６０の着脱部１６６に対してスライド装着する構成を例示して説明したが、ロック部材１５０をロックカバー部材１６０に一体的に連結できるものであれば、その構成は特に限定されない。
【００７１】
また、上述の実施形態では、スライド開閉型の基板ケースユニットを例示して説明したが、この構成に限定されるものではなく、例えばヒンジ開閉型などの他の基板ケースユニットであってもよい。
【００７２】
また、上述の実施形態では、不正開放防止構造及び封印構造の両方を具備する基板ケースユニットを適用したが、この構成に限定されるものではなく、不正開放防止構造のみを具備する基板ケースユニットであってもよい。
【００７３】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００７４】
ＰＭ  ぱちんこ遊技機
１  外枠
２  前枠
５  ガラス枠
１０  遊技盤
４１  主制御基板（制御基板）
１００  主制御基板ケースユニット（基板ケースユニット）
１１０  基板ケース
１２０  ボトムケース（第１ケース部材）
１２１  ボトムケース本体
１２３  ボトム側ロック部（第１ロック部）
１２６  ボトム側ロック孔（第１ロック孔）
１３０  トップケース（第２ケース部材）
１３１  トップケース本体
１３３  トップ側ロック部（第２ロック部）
１３３ａ  連結部（接続部）
１３６  トップ側ロック孔（第２ロック孔）
１４０  ロックアッシー（ロック部材アッセンブリ）
１５０  ロック部材
１５２  軸部
１５３  操作部
１５３  操作凹溝（操作凹部）
１５５  ロックピン（ロック突起）
１６０  ロックカバー部材（カバー部材）
１６４  カバー分離部
１６５  遮蔽部（隠蔽部）
１６６  着脱部
１６７  ロックアーム（係合部）
【図１】
2014180515.tif 000003
【図２】
2014180515.tif 000004
【図３】
2014180515.tif 000005
【図４】
2014180515.tif 000006
【図５】
2014180515.tif 000007
【図６】
2014180515.tif 000008
【図７】
2014180515.tif 000009
【図８】
2014180515.tif 000010
【図９】
2014180515.tif 000011
【図１０】
2014180515.tif 000012
【図１１】
2014180515.tif 000013
【図１２】
2014180515.tif 000014
【図１３】
2014180515.tif 000015
【図１４】
2014180515.tif 000016
【図１５】
2014180515.tif 000017
【図１６】
2014180515.tif 000018
【図１７】
2014180515.tif 000019
【図１８】
2014180515.tif 000020
【図１９】
2014180515.tif 000021
【図２０】
2014180515.tif 000022
【図２１】
2014180515.tif 000023
【図２２】
2014180515.tif 000024
【図２３】
2014180515.tif 000025
【図２４】
2014180515.tif 000026